(57)【要約】  【課題】  標的の正面に対して９０度異なる射撃位置からの射撃に対応できる簡易で安価な標的装置を提供する。  【解決手段】  本発明の標的装置は、第１の標的１１の平面が第１の射撃位置からの射撃ＤＦを受けられるように取り付けられている標的装置１００であって、第１の標的１１の平面の延長方向にある第２の射撃位置からの射撃ＤＳを受けられるような平面を備え、第１の標的に組み付けられている第２の標的１２を有する。したがって、第１，第２の標的は、第１，第２の射撃位置からの射撃をそれぞれの平面をもって受けられる。すなわち、第１の標的の平面の延長方向に第２の射撃位置があった場合でも、第２の標的が第２の射撃位置からの射撃を受けることができる。  【選択図】  図１
2006275464.tif 000002
【特許請求の範囲】
【請求項１】
平面に形成された第１の標的の平面が第１の射撃位置からの射撃を受けられるように取り付けられている標的装置において、
第１の標的の平面の延長方向にある第２の射撃位置からの射撃を受けられるような平面を備え、第１の標的に組み付けられている第２の標的を有することを特徴とする標的装置。
【発明の詳細な説明】
【技術分野】
【０００１】
本発明は、標的装置に関し、特に、平らな板状の標的が射撃位置に対面するように配置される標的装置に関する。
【背景技術】
【０００２】
図３は、従来の標的装置を模式的に示す図である。この標的装置２００においては、基台７０に取り付けた支柱６１，６２によって標的５０を支えている。この場合、標的５０は平面の形状に作られており、その平面（図ｑ１の前面）が射撃者の方に向くように標的装置２００は設置される。支柱６１，６２は、基台５０に配置された駆動機構（不図示）により上昇あるいは下降させることができる。したがって、支柱６１，６２の上昇および下降にともなって、その上端に取り付けられた標的５０も平面を射撃者の方向に向けたまま上昇あるいは下降する。標的５０を所定位置にまで上昇させた後に、矢印ＤＤで示されるように、実弾あるいはレーザ光線によって標的５０への射撃が行われ、標的５０に的中すると、標的５０は図の後方に倒れるように構成されている。なお、下記の特許文献がこの例に関連する技術を開示している。
【特許文献１】特開２００３−１３０５９５号公報（図１〜図３、第３，４頁）
【発明の開示】
【発明が解決しようとする課題】
【０００３】
しかし、上述の標的５０は、平面の形状に形成されているので、標的５０の平面に対面する角度あるいはそれらに近い角度の射撃位置からの射撃（標的の正面からの射撃）には問題ないが、それらの射撃位置と９０度異なる方向、すなわち、標的の平面の延長方向にある射撃位置からの射撃は困難となる。射撃訓練などでは、その９０度異なる射撃位置からの射撃も行われるので、それを可能にさせる簡易で安価な標的装置が求められている。
【０００４】
本発明は上述した問題点を解決するためになされたものであり、簡単な部材を用いて、標的の平面の延長方向からの射撃、例えば、標的の正面に対して９０度異なる射撃位置からの射撃にも対応できる簡易で安価な標的装置を提供することを目的とする。
【課題を解決するための手段】
【０００５】
上述した課題を解決するため、本発明に係る標的装置は、平面に形成された第１の標的の平面が第１の射撃位置からの射撃を受けられるように取り付けられている標的装置において、第１の標的の平面の延長方向にある第２の射撃位置からの射撃を受けられるような平面を備え、第１の標的に組み付けられている第２の標的を有する。
【０００６】
このような構成によれば、第１，第２の標的は、第１，第２の射撃位置からの射撃をそれぞれの平面をもって受けられる。したがって、第１の標的の平面の延長方向に第２の射撃位置があった場合でも、第２の標的が第２の射撃位置からの射撃を受けることができる。
【０００７】
上述の具体例として、例えば、前記第１，第２の射撃位置が９０度の角度をなす場合、この９０度の角度に対応して、第１，第２の標的は、９０度で交差して組み立てられた第１，第２の平らな板状部材であるのが好ましい。あるいは、第１の標的は、平らな板状部材から作られ、第２の標的は、第１の標的の一方の平面上に組みつけられた２枚の平らな長方形状の板状部材から作られ、２枚の板状部材のそれぞれの一辺は第１の標的の平面上に固定され、固定された辺に対向する他の辺は稜線を形成するように互いに結合されているのも好ましい。
【発明の効果】
【０００８】
以上に詳述したように本発明によれば、第１，第２の標的は、第１，第２の射撃位置からの射撃をそれぞれの平面をもって受けられる。したがって、第１の標的の平面の延びる方向にある第２の射撃位置からの射撃ついては、第１の標的はうけることが困難であるが、第２の標的はこの射撃を受けることができる。また、第１，第２の標的のためのこのような平面を持った部材は容易に入手でき、一体化も簡単であるので安価に作成できる。
【発明を実施するための最良の形態】
【０００９】
以下、本発明の実施の形態について図面を参照しつつ説明する。図１は、この発明の標的装置の実施の形態１を示す外観図、図２（ａ）は、この発明の標的装置の実施の形態２に用いられる標的を示す平面図、図２（ｂ）は、図２（ａ）の正面図である。
【００１０】
図１の標的装置１００において、標的１０は、基台３０に組みつけられた支柱２１，２２によって支持されている。この場合、標的１０は、平らな板状部材から作られている第１の標的１１と、第２の標的１２とから構成されている。第１，第２の標的は、結合ラインＫＬに沿って、互いの平面が９０度をなすように結合している。第１の射撃位置からは第１の標的１１に対し、矢印ＤＦに沿って射撃（実弾あるいはレーザ光線による）が行われる。また、第２の射撃位置からは第２の標的１２に対し、矢印ＤＳに沿って射撃（実弾あるいはレーザ光線による）が行われる。この場合、矢印ＤＦ，ＤＳは、それぞれ第１，第２の標的の平面に垂直に向いている。
【００１１】
また、支柱２１，２２は、基台３０に配置された駆動機構（不図示）により上昇あるいは下降させることができる。したがって、支柱２１，２２の上昇および下降にともなって、その上端に取り付けられた標的１０も平面を第１，第２の射撃位置の方向ＤＦ，ＤＳに向けたまま垂直に上昇あるいは下降する。この場合、標的１０が所定位置にまで上昇された後に、実弾あるいはレーザ光線によって標的への射撃が行われ、第１の標的１１または第２の標的１２に的中すると、標的１０は、例えば、矢印ＤＦの示す方向に倒れる。
【００１２】
上述の場合に、基台３０の駆動機構（不図示）により上昇あるいは下降させるのは、遠隔操作可能にしておくのが好ましい。また、実弾あるいはレーザ光線が標的１０に的中して標的が倒れた後に元の位置に復帰させることができるように遠隔操作可能にしておくことも好ましい。
【００１３】
この例では、矢印ＤＦ，ＤＳが示す第１，第２の射撃位置の方向が９０度をなすことに基づいて、第１，第２の標的の平面が９０度で交差するように組み立てられているが、第１，第２の射撃位置の方向がその他の角度であれば、その状態に合わせて交差する角度を変えてもよい。換言すれば、第１の標的を正面から射撃するばかりでなく、側面方向からも射撃できるように、第２の標的を第１の標的に組み込むことが重要である。
【００１４】
次に、この発明の実施の形態２について図２を参照して説明する。ここでは、標的以外の部分は実施の形態１と同じなので標的についてのみ説明する。図２の標的２０は、第１の標的１１と、第１の標的１１の一方の平面の上に組みつけられた第３の標的１３とから構成されている。第３の標的は、２枚の長方形の板状部材１３ａ，１３ｂから切妻屋根形状となるように形成されている。すなわち、板状部材１３ａ，１３ｂの一方の長手の一辺を第１の標的１１の上に固定し、対向する他方の一辺を互いに結合させて切妻屋根形状になるように形成している。なお、図２では、第３の標的１３は、垂直に上下に延びているように図示されているが、必ずしも垂直に延びている必要はなく、傾斜していてもよい。
【００１５】
第１の射撃位置において、第１の標的を正面から射撃するように設定すると、第１の標的の平面の延長方向（横方向）の第２の射撃位置からの射撃は従来の標的では容易でなかったが、上述した実施の形態１，２によれば、第２の標的がこれを受けるので、射撃は容易である。また、実施の形態１，２によって提示されている標的の構造は複雑でなく、材料も従来のものでよいので作成するのも容易である。
【図面の簡単な説明】
【００１６】
【図１】この発明の標的装置の実施の形態１を示す外観図である。
【図２】（ａ）は、この発明の標的装置の実施の形態２に用いられる標的を示す平面図である。  （ｂ）は、（ａ）の正面図である。
【図３】標的装置の従来例を示す正面図である。
【符号の説明】
【００１７】
１０，２０  標的、１１  第１の標的、１２  第２の標的、１３  第３の標的、１３ａ，１３ｂ  板状部材、２１，２２  支柱、３０  基台、１００  標的装置、ＤＦ  第１の射撃位置からの矢印、ＤＳ  第２の射撃位置からの矢印。
【図１】
2006275464.tif 000003
【図２】
2006275464.tif 000004
【図３】
2006275464.tif 000005